(57)【要約】【課題】既設の防護柵Ｆの種類や高さに関わらず、防草ネット５を所望の高さ位置に簡単に取り付けることができる防草ネット取付架台１０を提供すること。【解決手段】道路Ｒに設置された防護柵Ｆの支柱Ｐに第一固定手段１により固定される縦材２と、縦材２に第二固定手段３により固定され、防草ネット５の上端を取り付けるための横架材４と、を備え、第一固定手段１を、支柱Ｐに固定される支柱固定部１１と、支柱固定部１１から道路Ｒの外方へ持ち出された持出部１２と、持出部１２の持出端部に設けられ、縦材２を上下位置調節可能に固定する縦材固定部１３とから構成し、第二固定手段３を、縦材２に上下位置調節可能に固定される道路側固定部３１と、道路側固定部３１に設けられ、横架材４を道路Ｒの外方で固定する道路外側固定部３２とから構成した。【選択図】図７
2020100986.tif 000002
【特許請求の範囲】
【請求項１】
道路に沿って設置された防護柵に防草ネットを取り付けるための防草ネット取付架台であって、
前記防護柵の支柱に第一固定手段により固定される縦材と、
前記縦材に第二固定手段により固定され、前記防草ネットの上端を取り付けるための横架材と、を備え、
前記第一固定手段は、前記防護柵の支柱に固定される支柱固定部と、該支柱固定部から前記道路の外方へ持ち出された持出部と、該持出部の持出端部に設けられ、前記縦材を上下位置調節可能に固定する縦材固定部とから構成され、
前記第二固定手段は、前記縦材に上下位置調節可能に固定される道路側固定部と、該道路側固定部に設けられ、前記横架材を前記道路の外方で固定する道路外側固定部とから構成されており、
前記防護柵の支柱に対する前記縦材の固定上下位置、及び前記縦材に対する前記横架材の固定上下位置を調節することにより前記防草ネットを前記道路外の地面に対して所望の高さ位置に取り付けることを可能にした防草ネット取付架台。
【請求項２】
前記第一固定手段の支柱固定部及び縦材固定部がそれぞれ、半円筒形状の一対の把持片と、各把持片の一端に設けられ、ボルトを挿通する通孔を有する突片とから成り、
前記持出部が、前記支柱固定部の各把持片の他端と前記縦材固定部の各把持片の他端とを連結し、ボルトを挿通する通孔を有する連結片から成り、
各対の前記把持片で前記防護柵の支柱及び前記縦材を挟み、各対の前記突片同士及び一対の前記連結片同士を対向させて前記各通孔にボルトを挿通しナットで締結することにより、前記縦材を前記防護柵の支柱に固定することを特徴とした請求項１に記載の防草ネット取付架台。
【請求項３】
前記第二固定手段が直交クランプにより構成されていることを特徴とした請求項１または請求項２に記載の防草ネット取付架台。
【発明の詳細な説明】
【技術分野】
【０００１】
本発明は、防草ネット取付架台、より詳しくは、道路に沿って設置された防護柵に防草ネットを取り付けるための防草ネット取付架台に関する。
【背景技術】
【０００２】
車道や歩道等の道路の外側で繁茂する雑草が、道路に沿って設置されたガードレールや転落防止柵等の防護柵を越えて道路内へ侵入することが往々にしてある。特に葛等の蔓性植物の蔓は、防護柵の支柱等に絡みつきながら柵の隙間を抜けたり、柵の上部を乗り越えて道路側へ大きく侵入することも多く、車両の走行や歩行の障害となり、交通事故や転倒事故を招く原因にもなった。
【０００３】
そこで、本出願人は、既設の防護柵を利用して蔓性植物の蔓が道路内へ侵入するのを防ぐガードフェンスを開発し、既に出願している（下記特許文献１）。このガードフェンスは、蔓が通過できない程度の小さい網目を有する防草ネットを防護柵に張着したものであり、道路の外側で繁茂する蔓性植物の蔓が道路側へ伸びても、防草ネットを通過することができず、さらに、蔓が防草ネットに沿って上方へ伸びても、ネットに絡みつくことができず、自重で自ら道路の外側へ倒れることになり、蔓性植物の道路内への侵入を効果的に防ぐことができる。
【０００４】
しかしながら、このガードフェンスは、既設の防護柵に防草ネットを直接、張設していたため、簡単かつ低コストに施工することができる半面、防護柵の種類によっては、防草ネットの取付けが制約されることがあった。車両用防護柵や歩行者自転車用柵等の各種の防護柵は、道路面を基準にしてその高さが規制されて設置されているのに対し、防草ネットにより蔓性植物の侵入を有効に防ぐには、この防草ネットを、蔓性植物が繁茂する道路外の地面から所定の高さに取り付ける必要があるのである。
【先行技術文献】
【特許文献】
【０００５】
【特許文献１】特開２０１７−２０６９０４号公報
【発明の概要】
【発明が解決しようとする課題】
【０００６】
本発明は、従来のガードフェンスの設置に上記のような制約があったことに鑑みて為されたもので、既設の防護柵の種類や高さに関わらず、防草ネットを所望の高さ位置に簡単に取り付けることができる防草ネット取付架台を提供することを課題とする。
【課題を解決するための手段】
【０００７】
本発明は、道路に沿って設置された防護柵に防草ネットを取り付けるための防草ネット取付架台であって、
前記防護柵の支柱に第一固定手段により固定される縦材と、前記縦材に第二固定手段により固定され、前記防草ネットの上端を取り付けるための横架材と、を備え、
前記第一固定手段は、前記防護柵の支柱に固定される支柱固定部と、該支柱固定部から前記道路の外方へ持ち出された持出部と、該持出部の持出端部に設けられ、前記縦材を上下位置調節可能に固定する縦材固定部とから構成され、
前記第二固定手段は、前記縦材に上下位置調節可能に固定される道路側固定部と、該道路側固定部に設けられ、前記横架材を前記道路の外方で固定する道路外側固定部とから構成されており、
前記防護柵の支柱に対する前記縦材の固定上下位置、及び前記縦材に対する前記横架材の固定上下位置を調節することにより前記防草ネットを前記道路外の地面に対して所望の高さ位置に取り付けることを可能にしたことを特徴としている。
【０００８】
また、本発明は、前記第一固定手段の支柱固定部及び縦材固定部がそれぞれ、半円筒形状の一対の把持片と、各把持片の一端に設けられ、ボルトを挿通する通孔を有する突片とから成り、前記持出部が、前記支柱固定部の各把持片の他端と前記縦材固定部の各把持片の他端とを連結し、ボルトを挿通する通孔を有する連結片から成り、
各対の前記把持片で前記防護柵の支柱及び前記縦材を挟み、各対の前記突片同士及び一対の前記連結片同士を対向させて前記各通孔にボルトを挿通しナットで締結することにより、前記縦材を前記防護柵の支柱に固定することを特徴とした。
【０００９】
また、本発明は、前記第二固定手段が直交クランプにより構成されていることを特徴としている。
【発明の効果】
【００１０】
本発明に係る防草ネット取付架台は、既設の防護柵の支柱に対する縦材の固定上下位置及びこの縦材に対する横架材の固定上下位置を適宜調節することができるので、既設の防護柵の種類や高さに関わらず、防草ネットを道路外の地面に対して所望の高さ位置に簡単に取り付けることができる。
【図面の簡単な説明】
【００１１】
【図１】本実施形態の防草ネット取付架台を道路の防護柵に設置した状態を道路の外側からみた正面図である。
【図２】本実施形態の防草ネット取付架台を道路の防護柵に設置した状態を道路の外側からみた部分拡大正面図である。
【図３】本実施形態の防草ネット取付架台を道路の防護柵に設置した状態を示す側面図である。
【図４】本実施形態の防草ネット取付架台を道路の防護柵に設置した状態を示す平面図である。
【図５】本実施形態の防草ネット取付架台の第一固定手段の平面図である。
【図６】本実施形態の防草ネット取付架台に防草ネットを取り付けた状態を道路の外側からみた正面図である。
【図７】本実施形態の防草ネット取付架台に防草ネットを取り付けた状態を示す側面図である。
【図８】本実施形態の防草ネット取付架台に防草ネットを取り付けた状態を示す側面図である。
【図９】本実施形態の防草ネット取付架台に防草ネットを取り付けた状態を示す側面図である。
【図１０】本実施形態の防草ネット取付架台に防草ネットを取り付けた状態を示す平面図である。
【発明を実施するための形態】
【００１２】
図１〜図４に示すように、本実施形態の防草ネット取付架台１０は、道路Ｒに沿って設置された防護柵Ｆの各支柱Ｐに第一固定手段１により固定される縦材２と、この縦材２に第二固定手段３により固定され、防草ネットを取り付けるための横架材４と、から構成されている。本実施形態では、縦材２として、直径６０．５ｍｍ、長さ７５０ｍｍの鋼管材を使用し、横架材４として、直径４８．６ｍｍ、長さ１ｍ及び長さ２ｍの鋼管材を使用している。横架材４同士は公知の単管パイプジョイント４１により連結され、縦材２及び横架材４の端部にはキャップが嵌められる。
【００１３】
第一固定手段１は、図３に示すように、防護柵Ｆの支柱Ｐに固定される支柱固定部１１と、この支柱固定部１１から道路Ｒの外方へ持ち出された持出部１２と、この持出部１２の持出端部に設けられ、縦材２を上下位置調節可能に固定する縦材固定部１３とから構成されている。
【００１４】
図５に示すように、本実施形態の第一固定手段１は、支柱固定部１１が、半円筒形状の一対の把持片１１１・１１１と、各把持片１１１の一端に設けられ、ボルト１１３を挿通する通孔を有する突片１１２・１１２とから構成され、縦材固定部１３が、半円筒形状の一対の把持片１３１・１３１と、各把持片１３１の一端に設けられ、ボルト１３３を挿通する通孔を有する突片１３２・１３２とから構成されている。そして、持出部１２が、支柱固定部１１の各把持片１１１の他端と縦材固定部１３の各把持片１３１の他端とを連結し、ボルト１２２を挿通する通孔を有する一対の連結片１２１・１２１から構成されている。
【００１５】
この支柱固定部１１の一対の把持片１１１・１１１により防護柵Ｆの支柱Ｐを挟み、一対の突片１１２・１１２同士及び一対の連結片１２１・１２１同士を対向させて各通孔にボルト１１３、１２２を挿通し、ナット１１４、１２３で締結することによって、第一固定手段１を防護柵Ｆの支柱Ｐに固定する。
【００１６】
そして、縦材固定部１３の一対の把持片１３１・１３１により縦材２を挟み、一対の突片１３２・１３２同士を対向させて各通孔にボルト１３３を挿通し、ナット１３４で締結することにより縦材２を固定する。このように縦材固定部１３は、一対の把持片１３１で縦材２の外面を挟んで縦材２を固定するようにしているので、ナット１３４を緩めるだけで簡単に縦材２の固定上下位置を変更することができ、支柱Ｐに対する縦材２の固定上下位置を無段階に調節することができる。
【００１７】
第二固定手段３は、図３及び図４に示すように、縦材２に上下位置調節可能に固定される道路側固定部３１と、この道路側固定部３１に設けられ、横架材４を道路Ｒの外方で固定する道路外側固定部３２とから構成されている。本実施形態では、道路側固定部３１及び道路外側固定部３２がそれぞれ、公知の単管クランプから成り、第二固定手段３は、これら二つの単管クランプが互いに背中合わせで直交状態で連結された公知の直交クランプとして構成されている。
【００１８】
この道路側固定部３１のクランプ片で縦材２を挟み、ナットで締結することによって、第二固定手段３を縦材２に固定すると共に、道路外側固定部３２のクランプ片で横架材４を挟み、ナットで締結することにより横架材４を固定する。このように道路側固定部３１は、そのクランプ片で縦材２の外面を挟んで縦材２を固定するようにしているので、ナットを緩めるだけで簡単に、縦材２に対する道路側固定部３１の固定上下位置を変更することができ、縦材２に対する横架材４の固定上下位置を無段階に調節することができる。
【００１９】
こうして既設の防護柵Ｆの支柱Ｐを利用して本実施形態の防草ネット取付架台１０を設置し、その後、図６及び図７に示すように、設置した防草ネット取付架台１０の横架材４及び縦材２を利用して防草ネット５を取り付けることによって、道路外の地面Ｇに繁茂する蔓性植物その他の雑草の道路Ｒ内への侵入を防ぐことが可能となる。
【００２０】
なお、本実施形態では、防草ネット５として、蔓性植物の蔓が通らない程度の目の細かいメッシュ生地（材質ポリエステル、被覆樹脂；ポリ塩化ビニル）を使用している。この防草ネット５を、その上端を横架材４に巻き付け、中程部を縦材２に沿わせて公知の結束バンド６で固定している。
【００２１】
このように本実施形態の防草ネット取付架台１０は、既設の防護柵Ｆの支柱Ｐに対する縦材２の固定上下位置、及びこの縦材２に対する横架材４の固定上下位置を適宜調節することができるので、既設の防護柵Ｆの高さに関わらず、防草ネット５を、道路外の地面Ｇに対して所望の高さ位置に取り付けることができる。
【００２２】
したがって、図８及び図９に示すように、たとえ防護柵Ｆの種類によって、第一固定手段１の支柱Ｐに対する固定位置が制限される場合であっても、また、たとえ既設の防護柵Ｆに沿って道路外の地面Ｇが道路Ｒの路面に対し高低していたとしても、蔓性植物の蔓の侵入を有効に防ぐのに必要十分な防護ネット５の取付け高さＨを確保することができる。
【００２３】
さらに、本実施形態の防草ネット取付架台１０は、第一固定手段１の持出部１２により縦材２が道路Ｒの外方へ持ち出されて固定されると共に、第二固定手段３の道路外側固定部３２により横架材４が道路Ｒの外方で固定されるので、防護柵Ｆと防草ネット５の上端との間隔Ｗを大きくとることができる。このことによっても、蔓性植物の蔓の道路内への侵入を有効に防ぐことができる。
【００２４】
また、本実施形態の防草ネット取付架台１０は、第一固定手段１の支柱固定部１１及び縦材固定部１３がそれぞれ、一対の把持片１１１、１３１で支柱Ｐ及び縦材２の外面を挟んで固定するようにしているので、図１０に示すように、第一固定手段１を支柱Ｐに対し平面上で斜めに固定することも可能である。このことで、防草ネット取付架台１０の設置作業性が向上する他、防護柵Ｆと防草ネット５の上端との間隔Ｗの調節も可能となる。
【００２５】
以上、本実施形態の防草ネット取付架台について説明したが、本発明は他の実施形態でも実施することができる。
【００２６】
例えば、上記実施形態では、各支柱Ｐの上下２ヶ所に第一固定手段１を固定し、これら上下二つの第一固定手段１により一つの縦材２を固定しているが、状況に応じて、支柱Ｐに一つの第一固定手段１を固定し、一つの第一固定手段１により一つの縦材２を固定するようにしてもよい。
【００２７】
また、上記実施形態では、防草ネット取付架台１０を、支柱Ｐ間に複数のパイプを架設したガードパイプに設置する例について説明しているが、本発明に係る防草ネット取付架台は、他の防護柵にも適用可能であり、例えば、支柱間にレールを架設したガードレールや、支柱間にワイヤーを架設した防護柵や、支柱間に複数の横桟及び縦桟を設けた歩行者自転車用柵等に設置することも勿論可能である。
【００２８】
本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよく、また、一体に構成されている発明特定事項を複数の部材から構成したり、複数の部材から構成されている発明特定事項を一体に構成した形態で実施してもよい。
【符号の説明】
【００２９】
１０  防草ネット取付架台
１  第一固定手段
１１  支柱固定部
１１１  把持片
１１２  突片
１１３  ボルト
１１４  ナット
１２  持出部
１２１  連結片
１２２  ボルト
１２３  ナット
１３  縦材固定部
１３１  把持片
１３２  突片
１３３  ボルト
１３４  ナット
２  縦材
３  第二固定手段
３１  道路側固定部
３２  道路外側固定部
４  横架材
５  防草ネット
Ｆ  防護柵
Ｇ  道路外の地面
Ｐ  支柱
Ｒ  道路
【図１】
2020100986.tif 000003
【図２】
2020100986.tif 000004
【図３】
2020100986.tif 000005
【図４】
2020100986.tif 000006
【図５】
2020100986.tif 000007
【図６】
2020100986.tif 000008
【図７】
2020100986.tif 000009
【図８】
2020100986.tif 000010
【図９】
2020100986.tif 000011
【図１０】
2020100986.tif 000012